(57)【特許請求の範囲】
【請求項１】
引戸が引き込まれる袖壁として建物内の開口部に配設される袖壁ユニットであって、
引き込まれた状態の前記引戸の一方面に対面するように配設される面材と、この面材の一側部に沿うように裏面に固着された袖壁下地枠体とを有した袖壁本体と、
前記袖壁本体とは別体とされ、かつ、前記袖壁下地枠体と略同厚さとされるとともに、この袖壁下地枠体から間隔を空けて前記面材の裏面に固着される縦桟とを備えていることを特徴とする袖壁ユニット。
【請求項２】
請求項１において、
前記面材は、ケナフボードであることを特徴とする袖壁ユニット。
【請求項３】
請求項１または２に記載された袖壁ユニットを用いた袖壁構造であって、
前記袖壁本体の面材は、前記開口部に固定された戸尻側縦枠及び中方立に、幅方向の各端部がそれぞれ当接する幅寸法となるように前記一側部とは異なる側の他側部側が切断され、この面材の他側部に沿うように前記縦桟が裏面に固着されており、
前記袖壁ユニットは、幅方向の各端部が前記戸尻側縦枠及び前記中方立のそれぞれに当接されるとともに、前記開口部に固定され、この袖壁ユニットの前記袖壁下地枠体及び前記縦桟の表面には、壁面材が貼着される構造とされていることを特徴とする袖壁構造。
【請求項４】
請求項３において、
前記袖壁本体の面材は、前記戸尻側縦枠の壁厚方向背面側端面及び前記中方立の袖壁側側面に、幅方向の各端部がそれぞれ当接する幅寸法となるように他側部側が切断され、
前記袖壁ユニットは、前記縦桟が固着された側の幅方向の端部の表面が前記戸尻側縦枠の壁厚方向背面側端面に当接するように配設される構造とされていることを特徴とする袖壁構造。
【発明の詳細な説明】
【技術分野】
【０００１】
本発明は、建物内の開口部に配設される袖壁ユニット及びこれを用いた袖壁構造に関する。
【背景技術】
【０００２】
従来の引戸が引き込まれる袖壁構造は、施工現場において発生した端材等を利用して、袖壁下地を形成し、建物内の開口部に配設して、その表裏面に石膏ボード等の壁面材を貼着して袖壁を形成する構造とされていた。このような構造では、端材の加工や袖壁下地の形成など施工現場において多くの作業が必要となり、施工性の改善が望まれていた。
下記特許文献１では、建築物の引戸を収納する引戸用小壁の施工方法が提案されている。
この施工方法では、矩形状に予め組み立てられた軸組を、開口枠体の中方立に当接させて開口部に固定する。次いで、軸組と略同一の厚みとされた縦軸を、引戸の移動する左右方向に軸組に並べて開口枠体の外枠材に当接させて開口部に固定する。そして、これら左右方向に沿って並べられた軸組と縦軸の表面及び裏面にボードを貼り付けて引戸用小壁を施工する態様とされている。
【先行技術文献】
【特許文献】
【０００３】
【特許文献１】特開２００５−２２６３１３号公報
【発明の概要】
【発明が解決しようとする課題】
【０００４】
しかしながら、上記特許文献１に記載された引戸用小壁の施工方法では、軸組及び縦軸を開口部に固定した後、その表裏にボードを貼り付ける必要があり、更なる施工性の改善が望まれていた。
【０００５】
本発明は、上記実情に鑑みてなされたものであり、引戸が引き込まれる袖壁の施工性を向上し得る袖壁ユニット及びこれを用いた袖壁構造を提供することを目的としている。
【課題を解決するための手段】
【０００６】
上記目的を達成するために、本発明に係る袖壁ユニットは、引戸が引き込まれる袖壁として建物内の開口部に配設される袖壁ユニットであって、引き込まれた状態の前記引戸の一方面に対面するように配設される面材と、この面材の一側部に沿うように裏面に固着された袖壁下地枠体とを有した袖壁本体と、前記袖壁本体とは別体とされ、かつ、前記袖壁下地枠体と略同厚さとされるとともに、この袖壁下地枠体から間隔を空けて前記面材の裏面に固着される縦桟とを備えていることを特徴とする。
【０００７】
本発明に係る袖壁ユニットにおいては、前記面材を、ケナフボードとしてもよい。
【０００８】
また、上記目的を達成するために、本発明に係る袖壁構造は、本発明に係る袖壁ユニットを用いた袖壁構造であって、前記袖壁本体の面材は、前記開口部に固定された戸尻側縦枠及び中方立に、幅方向の各端部がそれぞれ当接する幅寸法となるように前記一側部とは異なる側の他側部側が切断され、この面材の他側部に沿うように前記縦桟が裏面に固着されており、前記袖壁ユニットは、幅方向の各端部が前記戸尻側縦枠及び前記中方立のそれぞれに当接されるとともに、前記開口部に固定され、この袖壁ユニットの前記袖壁下地枠体及び前記縦桟の表面には、壁面材が貼着される構造とされている。
【０００９】
本発明に係る袖壁構造においては、前記袖壁本体の面材を、前記戸尻側縦枠の壁厚方向背面側端面及び前記中方立の袖壁側側面に、幅方向の各端部がそれぞれ当接する幅寸法となるように他側部側が切断されたものとし、前記袖壁ユニットを、前記縦桟が固着された側の幅方向の端部の表面が前記戸尻側縦枠の壁厚方向背面側端面に当接するように配設する構造としてもよい。
【発明の効果】
【００１０】
本発明に係る袖壁ユニット及びこれを用いた袖壁構造は、上述のような構成としたことで、袖壁の施工性を向上させることができる。
【図面の簡単な説明】
【００１１】
【図１】（ａ）、（ｂ）は、いずれも本発明の一実施形態に係る袖壁ユニットを用いた袖壁構造の一例を模式的に示し、（ａ）は、一部破断概略背面図、（ｂ）は、（ａ）におけるＸ−Ｘ線矢視に対応させた一部破断概略拡大横断面図である。
【図２】同袖壁ユニットの一例を模式的に示す一部分解概略斜視図である。
【図３】（ａ）、（ｂ）は、いずれも同袖壁構造の施工手順の一例を説明するための概念的な説明図であり、（ａ）は、図１（ｂ）に対応させた図、（ｂ）は、図１（ａ）に対応させた図である。
【図４】（ａ）、（ｂ）は、いずれも同施工手順を説明するための概念的な説明図であり、（ａ）は、図１（ｂ）に対応させた図、（ｂ）は、図１（ａ）に対応させた図である。
【図５】（ａ）、（ｂ）は、いずれも同施工手順を説明するための概念的な説明図であり、（ａ）は、図１（ｂ）に対応させた図、（ｂ）は、図１（ａ）に対応させた図である。
【発明を実施するための形態】
【００１２】
以下に本発明の実施の形態について、図面に基づいて説明する。
図１〜図５は、本実施形態に係る袖壁ユニット及びこれを用いた袖壁構造の一例について説明するための概念的な説明図である。
なお、一部の図では、他図に付している詳細な符号の一部を省略している。
また、以下の実施形態では、図１（ｂ）に示すＹ方向から見た状態を基準として、図１（ｂ）における上側を手前側、下側を背面側として、その方向等を説明する。
【００１３】
本実施形態に係る袖壁ユニット１は、図１（ｂ）に示すように、建物内の開口部４に、引戸３が引き込まれる袖壁として配設される。図例では、一枚からなる片引き式の引戸３が引き込まれる袖壁として配設された例を示している。
開口部４は、柱材や間柱、横桟（まぐさ）、飼木、床下地などの枠下地５によって正面視して略矩形状に形成されている（図３も参照）。
この開口部４の内周面に沿うようにして、引戸３を建て付ける戸枠２が配設される。
開口部４の開口幅は、図１（ｂ）に示すように、開口部４に配設された戸枠２に建て付けられる引戸３が開閉自在にスライドし得るように引戸３の戸幅及び戸枠２の厚さ（引戸３の戸幅と同方向に沿う厚さ）に応じて形成される。つまり、本実施形態のように袖壁納めで施工される片引き式の引戸３を例にすれば、開口部４の開口幅は、当該引戸３の戸幅の略２倍程度の幅寸法とされる。
【００１４】
戸枠２は、図例では、一対の縦枠２１，２２（戸先側縦枠２１及び戸尻側縦枠２２）と、これら縦枠２１，２２の上端部間に架設された上枠（鴨居）２０と、これら縦枠２１，２２間の略中間部に設けられた中間縦枠（中方立）２３とを備えている（図３も参照）。
上枠２０は、その下面に、引戸３のスライド移動を案内する上吊レールや案内溝を長手方向に沿って有している。また、この上枠２０は、図３（ａ）に示すように、戸先側が、開口部４の戸先側に形成される内壁の壁厚に対応させて幅広部とされ、戸尻側が、袖壁ユニット１を用いて形成される袖壁の壁厚に対応させて上記幅広部よりも幅の狭い幅狭部とされている。また、この上枠２０の幅広部と幅狭部とを区切る長手方向略中央部には、中方立２３の上端部が係合する切欠部が形成されている。
【００１５】
戸先側縦枠２１は、上枠２０の上記幅広部に応じた幅寸法（壁厚方向の幅寸法）とされ、開口部４の戸先側の内側面に沿うように上下方向に沿って配設される（図３も参照）。この戸先側縦枠２１には、引戸３の戸先側端部を受け入れる戸じゃくり溝が上下方向に沿って形成されている。
戸尻側縦枠２２は、上枠２０の上記幅狭部に応じた幅寸法（壁厚方向の幅寸法）とされ、開口部４の戸尻側（袖壁側）の内側面に沿うように上下方向に沿って配設される（図３も参照）。この戸尻側縦枠２２には、引戸３の戸尻側端部を受け入れる戸じゃくり溝が上下方向に沿って形成されている。
中方立２３は、開口部４の略中間位置において上下方向に沿って配設され、その壁厚方向に沿う幅寸法が、袖壁ユニット１を用いて形成される袖壁の壁厚に応じた幅寸法とされている（図３も参照）。この中方立２３の壁厚方向手前側端面には、引戸３の背面側表面３ａに摺接する隙間遮蔽部材（モヘア部材）が上下方向に沿って添設されている。
【００１６】
上記構成とされた戸枠２は、上枠２０の長手方向の各端面を、各縦枠２１，２２の上端部内側面に突き合わせ、これら縦枠２１，２２の上端部の外側面から木ねじ等の固定止具を螺入して、上枠２０と各縦枠２１，２２とを連結するようにしてもよい。また、上枠２０の上記切欠部に中方立２３の上端部を係合させ、木ねじ等の固定止具を螺入して中方立２３を上枠２０に連結して、戸枠２を組み付けるようにしてもよい。
また、このように組み付けられた戸枠２は、図３に示すように、開口部４の内周面に沿わせるようにして固定される。図例では、開口部４の内周天面を構成する横桟などの枠下地５に沿わせるようにして上枠２０を固定し、開口部４の内周両側面を構成する柱材などの枠下地５，５に沿わせるようにして一対の縦枠２１，２２を固定した例を示している。また、これら上枠２０及び一対の縦枠２１，２２は、各枠下地５に対して飼木などのスペーサー材６を介して固定された例を示している。
また、方立材２３の下端部は、床下地などの枠下地５に固定するようにしてもよい。
【００１７】
引戸３は、上記構成とされた戸枠２にスライド自在に建て付けられる。本実施形態では、当該引戸３の上端部にランナー部材を連結し、このランナー部材を引戸３の戸幅方向に沿って走行自在に支持する走行案内部としての上吊レールを上枠２０に設け、上吊式で開閉される構成とされている。なお、図示を省略しているが、床面には、引戸３のスライド移動をガイドするガイドピンが固定され、引戸３の下端面には、このガイドピンを受け入れる凹溝が形成されている。
なお、戸枠２としては、図例のように下枠を備えない上吊式の戸枠に限られず、引戸の下端部に戸車を設け、この戸車をガイドするレールを備えた下枠を更に備えた戸枠としてもよい。また、図例のような固定枠に限られず、ケーシング額縁を備えたいわゆるケーシング枠を戸枠として採用するようにしてもよい。
また、戸枠２は、合板やＬＶＬ等の木質積層板、パーティクルボード等の木質ボード、またはインシュレーションボードやＭＤＦ（中密度繊維板）等の木質繊維板などの木質系材料から形成されたものとしてもよい。または、合成樹脂系材料や金属系材料等から形成されたものとしてもよい。
【００１８】
上記のように戸枠２に建て付けられる引戸３が引き込まれる袖壁として、開口部４の戸尻側の内側面から戸先側に向けて突出するように本実施形態に係る袖壁ユニット１が配設される。
袖壁ユニット１は、図１及び図２に示すように、面材１１及び袖壁下地枠体１３を有した袖壁本体１０と、この袖壁本体１０とは別体とされた縦桟１７とを備えている。
面材１１は、図２に示すように、略矩形平板状とされ、図１（ｂ）に示すように、引き込まれた状態の引戸３の背面側表面３ａに対面するように配設される。
この面材１１の高さ寸法は、開口部４の開口高さに応じた寸法とされ（図４（ｂ）参照）、この面材１１の幅寸法は、施工前の状態では、一般的な汎用の各種の引戸３の戸幅に対応可能なように、この戸幅よりも予め大きく形成されている。つまりは、この面材１１の幅寸法は、施工前の状態では、汎用の最大幅の引戸の戸幅に応じた幅寸法とされている。
【００１９】
また、本実施形態では、面材１１は、ケナフを解繊して得られた繊維に、バインダー（接着成分）となる樹脂材を含有させてボード化したケナフボード１１とされている。
このケナフボード１１は、例えば、以下のようにして製造するようにしてもよい。
ケナフの靭皮を、繊維径が２０μｍ〜５００μｍ、好ましくは、５０μｍ〜１００μｍ程度となるように解繊し、繊維長が６ｍｍ以上、好ましくは、１０ｍｍ〜２００ｍｍ程度となるように切断して堆積、積層し、長繊維マット体を形成する。この長繊維マット体を形成する際、ケナフ長繊維のそれぞれを、略一方向に配向させるようにしたり、略直交する二方向に配向させるようにしたりしてもよい。
次いで、上記長繊維マット体に、バインダーとしての接着剤を均一に分散させて熱プレス機に導入して熱プレス（加熱圧縮）し、密度が０．３５ｇ／ｃｍ３〜１．２０ｇ／ｃｍ３程度、好ましくは、０．５０ｇ／ｃｍ３〜１．００ｇ／ｃｍ３程度となるように製造するようにしてもよい。
なお、長繊維マット体に接着剤を分散させる方法は、液状の接着剤に上記長繊維マット体を浸漬させ、ローラ等で絞って混合量を調整して混合させたり、粉末状の接着剤を混合して分散させたり、スプレー塗布により混合、分散させたりしてもよい。
また、バインダーとなる接着剤は、ケナフボード１１の総重量に対して、その含有量が固形分で、５重量％〜５０重量％程度、好ましくは１０重量％〜３０重量％程度としてもよい。また、接着剤としては、ユリア樹脂系、ユリア・メラミン共縮合樹脂系、フェノール樹脂系及びイソシアネート樹脂系等の熱硬化性タイプの樹脂接着剤としてもよい。
【００２０】
また、このケナフボード１１の表面（手前側の面）１１ａには、樹脂含浸紙を更に貼着積層して、表面１１ａを形成するようにしてもよい。この樹脂含浸紙としてはジアリルフタレート系樹脂（ＤＡＰ）を含浸させたクラフト紙（ＤＡＰ含浸紙）としてもよい。また、積層後の樹脂含浸紙の厚みを薄くするようにサンダー処理を施し、サンダー処理後の樹脂含浸紙の厚みを、０．１ｍｍ〜０．１５ｍｍ程度としてもよい。このような樹脂含浸紙を表面側に積層することで、ケナフボード１１の表面１１ａの平滑性を高めることができる。
また、このケナフボード１１の裏面（背面側の面）１１ｂには、紙材を貼着積層するようにしてもよい。この紙材としては、防湿紙としてもよい。
【００２１】
ケナフボード１１の厚さは、一般的な壁面材としての石膏ボードや合板等の厚さよりも薄くするようにしてもよい。例えば、一般的な壁面材の半分程度の厚さとしてもよく、または半分よりも薄くするようにしてもよく、１．５ｍｍ〜６ｍｍ程度の厚さとしてもよい。
また、本実施形態では、ケナフボード１１の表面１１ａには、その略全面に亘って、図１（ｂ）に示すように、化粧シート１２が貼着されている。この化粧シート１２としては、オレフィン系樹脂等の合成樹脂化粧シートや化粧紙、壁クロス紙としてもよく、また、この化粧シート１２は、予め工場において貼着しておくようにしてもよい。例えば、内壁の手前側表面を構成する壁面材７の表面に貼着される化粧シートの色柄等に応じた化粧シート１２を予め貼着しておくようにしてもよい。これによれば、後記するように当該袖壁ユニット１を開口部４に施工した後、その手前側面に壁クロス紙張り等の表面処理をする工程が不要となり、袖壁の施工性をより向上させることができる。
【００２２】
なお、上記樹脂含浸紙をケナフボード１１の表面１１ａに積層させた構造のケナフボードを採用した場合には、化粧シート１２を、樹脂含浸紙の表面側に貼着するようにすればよい。このような態様によれば、化粧シート１２が貼着されて構成される袖壁本体１０の表面（袖壁面）１０ａの平滑性を向上させることができ、施工後の見栄えを向上させることができる。
また、ケナフボード１１の表面１１ａに予め化粧シート１２を貼着しておく態様に限られず、当該袖壁ユニット１を施工した後に貼着する態様としてもよい。
【００２３】
袖壁下地枠体１３は、図２に示すように、ケナフボード１１の幅方向の一側部（図１（ｂ）における戸先側縦枠２１側の側部）１１ｃに沿うようにケナフボード１１の裏面１１ｂに固着されており、袖壁面１０ａを構成するケナフボード１１の袖壁下地として機能する。
この袖壁下地枠体１３は、上記同様の木質系材料から角柱状に形成された複数本の略同厚さとされた枠材１４，１５，１６を、枠組みして形成されている。本実施形態では、一対の縦枠１４，１４と、この上端部間及び下端部間のそれぞれに架設された一対の横枠１５，１５と、一対の縦枠１４，１４間に架設された複数本（図例では、４本）の横桟１６とによって、梯子状に形成された枠体とされている。
【００２４】
この袖壁下地枠体１３の高さ寸法は、ケナフボード１１の高さ寸法と略同寸法とされている。
また、この袖壁下地枠体１３の幅寸法は、ケナフボード１１の幅寸法よりも小さく形成されている。この袖壁下地枠体１３の幅寸法は、ケナフボード１１の幅寸法の１／２以上で、かつ、一般的な汎用の各種の引戸３の戸幅に当該袖壁ユニット１が対応可能なように、縦桟１７の幅寸法や縦桟１７との間の寸法等を加味して、上記戸幅よりも小さく形成するようにしてもよい。つまりは、この袖壁下地枠体１３の幅寸法は、縦桟１７の幅寸法やこの縦桟１７との間に形成される間隔寸法等を加味して、汎用の最小幅の引戸の戸幅に応じた幅寸法としてもよい。
【００２５】
また、この袖壁下地枠体１３の厚さ寸法は、当該袖壁ユニット１によって形成する袖壁の壁厚に応じた厚さ寸法とされる。この袖壁の厚さ寸法は、建物内の内壁自体の壁厚に応じて設定され、それに応じて袖壁下地枠体１３の厚さ寸法を、一方面に固着されたケナフボード１１の厚さ、及び後記するように他方面（背面側表面）１３ａに貼着される汎用の壁面材７の厚さを加味して設定するようにすればよい。つまりは、一般的な壁厚に応じて規定される袖壁の厚さ寸法に応じた寸法となるように袖壁下地枠体１３とケナフボード１１とを備えた袖壁ユニット１の厚さを形成しておくようにしてもよい。
本実施形態では、ケナフボード１１を含む袖壁ユニット１の厚さ寸法を、図４（ａ）に示すように、開口部４に固定された戸尻側縦枠２２の壁厚方向背面側端面２２ａから枠下地（内壁の下地ともなる下地）５の背面側表面までの壁厚方向の寸法と略同寸法としている。つまりは、袖壁ユニット１の厚さは、本実施形態では、当該袖壁ユニット１の手前側の表面１０ａを戸尻側縦枠２２の壁厚方向背面側端面２２ａに当接させた状態で、この袖壁ユニット１の背面側の表面１３ａ，１７ａが枠下地５の背面側表面と略同一平面状となるように形成されている。
【００２６】
また、この袖壁下地枠体１３は、上記した枠材を用いて、予め工場において枠状に組み付けられる。また、この袖壁下地枠体１３は、予め工場において、ケナフボード１１の一側部１１ｃに沿わせるようにしてケナフボード１１の裏面１１ｂに一方面が固着される。つまり、ケナフボード１１と、その裏面１１ｂに固着された袖壁下地枠体１３とによって構成される袖壁本体１０は、予め工場において一体化されて施工現場に搬送される。
なお、この袖壁下地枠体１３のケナフボード１１の裏面１１ｂへの固定は、木ねじや釘、タッカー等の固定止具及び接着剤の両方または一方を用いて固定するようにしてもよい。
【００２７】
上記構成とされた袖壁本体１０は、図２に示すように、ケナフボード１１の幅方向の他側部側が、後記するように、当該袖壁ユニット１によって形成する袖壁の幅寸法に応じて切断される。
また、この袖壁本体１０の袖壁下地枠体１３から間隔を空けて、ケナフボード１１の幅方向の他側部（図１（ｂ）における戸尻側縦枠２２側の側部）１１ｄに沿って、このケナフボード１１の裏面１１ｂに縦桟１７が固着される。つまり、本実施形態に係る袖壁ユニット１は、上記のように一体化された袖壁本体１０と、この袖壁本体１０とは別体とされ、この袖壁本体１０に固着される縦桟１７とを備えたユニットとされている。
【００２８】
縦桟１７は、袖壁下地枠体１３と同様の木質系材料から角柱状に形成されており、その高さ寸法（長さ寸法）及び厚さ寸法が、袖壁下地枠体１３の高さ寸法及び厚さ寸法と略同寸法とされ、袖壁面１０ａを構成するケナフボード１１の袖壁下地として機能する。
縦桟１７の幅寸法は、袖壁下地枠体１３の幅寸法及びこの袖壁下地枠体１３との間に形成される間隔に応じて、袖壁下地として機能し得る幅寸法に設定される。つまりは、当該袖壁ユニット１によって形成される袖壁の下地として、これら袖壁下地枠体１３及び縦桟１７が機能し得るように、これらの幅寸法が設定される。
この縦桟１７のケナフボード１１の裏面１１ｂへの固定は、木ねじや釘、タッカー等の固定止具及び接着剤の両方または一方を用いて固定するようにしてもよい。
【００２９】
次に、上記構成とされた袖壁ユニット１を用いた袖壁構造の施工手順の一例について説明する。
まず、上述したように、組み付けた戸枠２を開口部４に固定する（図３参照）。
次いで、図２に示すように、袖壁ユニット１の袖壁本体１０のケナフボード１１の他側部側を、開口部４に固定された戸尻側縦枠２２及び中方立２３に、幅方向の各端部がそれぞれ当接する幅寸法となるように切断する。
本実施形態では、図４（ａ）に示すように、ケナフボード１１の幅寸法Ｗが、開口部４の袖壁側（戸尻側）の枠下地内側面５ａから中方立２３の袖壁側側面２３ａまでの幅寸法に応じた寸法となるように他側部側を切断した例を示している。つまり、本実施形態では、このケナフボード１１の一側部１１ｃが中方立２３の袖壁側側面２３ａに当接し、ケナフボード１１の他側部１１ｄが開口部４の袖壁側枠下地内側面５ａに当接するように、他側部側を切断した例を示している。なお、袖壁側枠下地内側面５ａとしては、柱材等の枠下地の袖壁側枠下地内側面に限られず、飼木等のスペーサー材を枠下地として把握し、これの袖壁側内側面を、袖壁側枠下地内側面として把握するようにしてもよい。
【００３０】
上記のように袖壁本体１０のケナフボード１１の他側部側を切断した後、図２に示すように、その他側部１１ｄに沿うように縦桟１７をケナフボード１１の裏面１１ｂに固着して、図４（ａ）に示すように、形成される袖壁に応じた袖壁ユニット１を形成する。
そして、図４（ａ）、（ｂ）に示すように、この袖壁ユニット１を、開口部４の背面側（図示手前側）から、開口部４の袖壁側枠下地内側面５ａと、中方立２３の袖壁側側面２３ａとによって幅方向が区画された開口部４内に嵌め込むようにして開口部４内に配置する。また、袖壁ユニット１の幅方向の各端部を、戸尻側縦枠２２及び中方立２３のそれぞれに当接させて、当該袖壁ユニット１を開口部４に固定する。
【００３１】
図例では、袖壁ユニット１の幅方向の袖壁下地枠体１３が固着された側の端部を、中方立２３の袖壁側側面２３ａに当接させ、縦桟１７が固着された側の端部を、戸尻側縦枠２２の壁厚方向背面側端面２２ａに当接させて固定した状態を示している。つまり、袖壁ユニット１を、縦桟１７が固着された側の幅方向の端部の表面が戸尻側縦枠２２の壁厚方向背面側端面２２ａに当接するように配設する構造としている。
また、図例では、袖壁ユニット１の幅方向の一端面１ａを、中方立２３の袖壁側側面２３ａに当接させ、袖壁ユニット１の幅方向の他端面１ｂを、開口部４の袖壁側枠下地内側面５ａに当接させて固定された状態を示している（図５（ａ）も参照）。
なお、この袖壁ユニット１の開口部４への固定は、戸枠２及び枠下地５の両方または一方に対して、上記同様の固定止具を用いて固定するようにしてもよい。
【００３２】
上記のように袖壁ユニット１を固定した後、図５（ａ）、（ｂ）に示すように、この袖壁ユニット１の袖壁下地枠体１３と縦桟１７とに跨るように、袖壁ユニット１の背面側の表面となる袖壁下地枠体１３及び縦桟１７の表面１３ａ，１７ａに背面側壁面材７を貼着する。
この壁面材７は、建物の内壁を構成する面材として汎用される壁面材７とされ、枠下地５等を含む内壁下地材の手前側及び背面側のそれぞれに貼着される。
手前側の壁面材７は、戸枠２の上枠２０の上側面並びに戸先側縦枠２１及び戸尻側縦枠２２の外方側側面に当接するように加工されて貼着される。
一方、背面側の壁面材７は、戸枠２の上枠２０の上側面、戸先側縦枠２１の外方側側面及び中方立２３の袖壁側側面２３ａに当接するように加工されて貼着される。
【００３３】
なお、この壁面材７としては、石膏ボードや合板等としてもよく、その表面に上記同様の化粧シートを貼着するようにしてもよい。また、一枚からなる壁面材を上記形状に加工して配設する必要はなく複数枚を連設して内壁の壁面を構成するものとすればよい。
上記のように壁面材７を貼着すれば、図１に示すように、開口部４の戸尻側には、引戸３のスライドスペース（走行スペース）の背面側に位置するように、袖壁が形成される。一方、開口部４の戸先側には、引戸３によって開閉される出入り口としての開口が形成される。そして、適宜、引戸３を、戸枠２に対して建て付けることで、袖壁納めの引戸構造となる。
【００３４】
以上のように、本実施形態に係る袖壁ユニット１は、引き込まれた状態の引戸３の一方面３ａに対面するように配設される面材１１と、この面材１１の一側部１１ｃに沿うように裏面１１ｂに固着された袖壁下地枠体１３とを有した袖壁本体１０を備えている。従って、袖壁下地枠体１３によって、面材１１が補強され、保管時や搬送時、施工時における損傷等を防止することができる。
また、袖壁本体１０とは別体とされ、かつ、袖壁下地枠体１３と略同厚さとされるとともに、この袖壁下地枠体１３から間隔を空けて面材１１の裏面１１ｂに固着される縦桟１７を備えている。従って、袖壁ユニット１の面材１１の他側部側を、上記のように切断すれば、この面材１１の他側部１１ｄに沿うように縦桟１７を面材１１の裏面１１ｂに固着することで、施工現場に応じた幅寸法、つまりは、袖壁の幅寸法に応じた袖壁ユニット１を容易に形成することができる。
【００３５】
さらに、このような袖壁ユニット１を用いた袖壁構造とすることで、施工性を向上させることができる。つまり、戸枠２を開口部４に固定した後、開口部４の一方側（背面側）から袖壁ユニット１を容易に施工することができ、次いで、その背面側の表面１３ａ，１７ａに、背面側の壁面材７を貼着することができる。従って、一連の施工作業を、開口部４の一方側（背面側）からスムーズに行え、袖壁の施工性を向上させることができる。
さらにまた、本実施形態では、袖壁ユニット１を、縦桟１７が固着された側の幅方向の端部の表面が戸尻側縦枠２２の壁厚方向背面側端面２２ａに当接するように配設する構造としている。従って、上記のように切断される面材１１の他側部１１ｄが直線状に切断されていないような場合にも、戸尻側縦枠２２によって、その他側部１１ｄが隠蔽されて露出せず見栄えを向上させることができる。換言すれば、袖壁本体１０の面材１１の他側部側を、精度良く加工する必要がなく、袖壁の施工性をより向上させることができる。
【００３６】
また、本実施形態では、袖壁ユニット１の面材を、ケナフボード１１としている。従って、石膏ボードや合板等の壁下地ボードに比べて、強度があり、反り難いため、面材を効率的に軽量化（薄型化）することができる。従って、袖壁ユニット１自体の軽量化が図れ、施工時等における取り扱い性を向上させることができ、袖壁の施工性をより向上させることができる。
【００３７】
なお、本実施形態では、袖壁ユニットが備える面材を、ケナフボードとした例を示しているが、このような態様に限られず、石膏ボードや、その他、木質系板材を面材としてもよい。このような面材としても、本実施形態に係る袖壁ユニットによれば、袖壁下地枠体によって補強され、その損傷等を防止することができる。
また、本実施形態では、略同厚さの枠材を枠組みして梯子状に形成した袖壁下地枠体を例示しているが、例えば、上下の横枠及び横桟の厚さ寸法を、左右の縦枠の厚さ寸法よりも薄く形成するようにしてもよい。また、袖壁下地枠体としては、図例のような梯子状に枠組みされたものに限られず、一対の縦枠と一対の横枠とで枠組みされたものとしてもよく、または、枠内に複数本の縦桟及び横桟を設けた格子状のものとしてもよい。
【００３８】
さらに、本実施形態では、袖壁ユニットの面材と、袖壁下地枠体及び縦桟の高さ寸法を略同寸法とした例を示しているが、このような態様に限られない。例えば、袖壁下地枠体及び縦桟が面材よりも上方に突出するものとし、面材の上端面が上枠の下面に当接するように、その高さ寸法が形成されたものとしてもよい。
さらにまた、本実施形態では、袖壁ユニットの高さ寸法を開口部の開口高さに応じた寸法とした例を示しているが、このような態様に限られず、少なくともその上端部が上枠の一部に正面視して重合するような高さ寸法とすればよい。この場合は、この袖壁ユニットの上端部は、上枠に対して固定するようにしてもよい。
【００３９】
また、本実施形態では、袖壁ユニットの幅方向の各端面を、開口部の袖壁側枠下地内側面、及び中方立の袖壁側側面に当接させて、開口部に固定した例を示しているが、このような態様に限られない。例えば、袖壁ユニットの幅方向の一端部の端面を、中方立の袖壁側側面に当接させ、幅方向の他端部は、戸尻側縦枠に当接させるようにしてもよい。この場合、その他端部の手前側の表面を、戸尻側縦枠の背面側端面に当接させるようにしてもよく、その他端部の端面を、戸尻側縦枠の内方側（戸先側）側面に当接させるようにしてもよい。
さらに、本実施形態では、袖壁ユニットの袖壁下地枠体が固着された側の端部を中方立側に配置し、縦桟が固着された側の端部を戸尻側縦枠側に配置した例を示しているが、逆側となるように配置するようにしてもよい。
【００４０】
さらにまた、本実施形態では、袖壁ユニットによって形成する袖壁の幅寸法に応じて面材の他側部側を切断した例を示しているが、このような態様に限られない。例えば、当該袖壁ユニットを戸枠や引戸とユニット化し、これらに応じた幅寸法となるように予め工場等において面材の幅寸法を形成しておくようにしてもよい。
また、本実施形態では、片引きの一枚の引戸が引き込まれる袖壁として袖壁ユニットを開口部に配設した例を示しているが、このような態様に限られない。複数枚の引戸が引き込まれる袖壁として配設されるものとしてもよく、また、両引き（引き分け）の引戸が引き込まれる袖壁として、開口部の両側に、本実施形態に係る袖壁ユニットをそれぞれ配設するようにしてもよい。
【符号の説明】
【００４１】
１        袖壁ユニット
１０      袖壁本体
１１      ケナフボード（面材）
１１ｂ    裏面
１１ｃ    一側部
１１ｄ    他側部
１３      袖壁下地枠体
１３ａ    背面側表面（袖壁下地枠体の表面）
１７      縦桟
１７ａ    背面側表面（縦桟の表面）
２２      戸尻側縦枠
２２ａ    背面側端面（壁厚方向背面側端面）
２３      中方立
２３ａ    袖壁側側面
３        引戸
３ａ      背面側表面（引戸の一方面）
４        開口部
５ａ      袖壁側の枠下地内側面
７        背面側壁面材（壁面材）
【図１】
0005448087.tif 000002
【図２】
0005448087.tif 000003
【図３】
0005448087.tif 000004
【図４】
0005448087.tif 000005
【図５】
0005448087.tif 000006